(57)【特許請求の範囲】
【請求項１】
上方に突出した動作体を前後に往復動作させることによって電気信号を発生する往復動作型部品と、この往復動作型部品の左右の少なくとも一方に並べて配置され上方から動作部を押圧することによって電気信号を発生する押圧動作型部品と、上面が操作部となり下面の左右に押圧動作型部品に対応する押圧部を有すると共に、下面の中央の装着部が往復動作型部品の動作体に装着され、動作体の往復動作方向に一体的に動作すると共に動作体との装着部を支点として揺動し左右端が上下動するつまみからなる多方向操作型電子部品。
【請求項２】
往復動作型部品を、動作体が往復動作方向の中立位置に自動復帰する中立位置復帰型のものとした請求項１記載の多方向操作型電子部品。
【請求項３】
つまみの装着部または往復動作型部品の動作体のいずれか一方に設けた凸部と、他方に設けた凹部を圧入嵌合させて、この嵌合部を支点として左右方向に揺動可能につまみを動作体へ装着した請求項１または２記載の多方向操作型電子部品。
【請求項４】
つまみの装着部または往復動作型部品の動作体のいずれか一方に一体または別体で、前後方向には剛性を有し左右方向には弾性を有する結合部を設けると共に、この結合部を介してつまみを動作体へ装着した請求項１または２記載の多方向操作型電子部品。
【請求項５】
つまみまたは動作体に一体または別体で、つまみの左右を上方へ付勢する弾性体を附加した請求項１〜４のいずれか一つに記載の多方向操作型電子部品。
【請求項６】
つまみの装着部と往復動作型部品の動作体の間の上下方向の隙間を、つまみの押圧部と押圧動作型部品の動作部との隙間よりも小さく設定した請求項１〜５のいずれか一つに記載の多方向操作型電子部品。
【請求項７】
絶縁シートで往復動作型部品と押圧動作型部品を覆った請求項１〜６のいずれか一つに記載の多方向操作型電子部品。
【請求項８】
絶縁シートにつまみを上方へ付勢する弾性部を設けた請求項７記載の多方向操作型電子部品。
【請求項９】
つまみと絶縁シートを一体に形成した請求項７または８記載の多方向操作型電子部品。
【請求項１０】
請求項１〜９のいずれか一つに記載の多方向操作型電子部品を、つまみの操作部を前後左右に操作可能に外装ケースから突出させて装着した電子機器。
【請求項１１】
請求項７〜９のいずれか一つに記載の多方向操作型電子部品を、つまみの操作部を前後左右に操作可能に外装ケースから突出させると共に、多方向操作型電子部品の周囲を囲む外装ケース裏面のリブと、多方向操作型電子部品を配置した配線基板の間に、絶縁シートの外周を挟み込むように装着した電子機器。
【発明の詳細な説明】
【０００１】
【発明の属する技術分野】
本発明は主として携帯電話やＰＨＳ、ページャ、リモコン、携帯オーディオ機器等の各種電子機器の操作部に使用される多方向操作型電子部品およびこれを用いた電子機器に関するものである。
【０００２】
【従来の技術】
近年、携帯電話やＰＨＳなどの通信用携帯端末機器の複合化に伴う機能の増加や多様化が進む中、これらに用いられる操作スイッチやエンコーダ等の電子部品においても、携帯性を損なうことなくより簡単に各種機能の選択や入力が可能な操作形態のニーズが高まっており、一つの操作部で前後左右などの多方向への操作ができる多方向操作型のものが多く用いられるようになってきた。
【０００３】
このような従来の多方向操作型電子部品について、多方向操作型スイッチを例にして図２１〜図２４を用いて説明する。
【０００４】
図２１は従来の多方向操作型スイッチの断面図、図２２は同分解斜視図であり、同図において、１は中央に孔１Ａが設けられた配線基板、２〜５はそれぞれ上面に動作部２Ａ〜５Ａが突出したプッシュスイッチ、６は下面に押圧部６Ａ〜６Ｄが支点軸６Ｅを中心として設けられたつまみで、配線基板１の上面には、つまみ６の中央下面に設けられた支点軸６Ｅを揺動可能に支持する孔１Ａを中心として前後および左右方向に十字状にプッシュスイッチ２〜５が実装されている。
【０００５】
そして、７は中央につまみ６の上面が突出する孔７Ａを設けたカバーで、このカバー７が下面の爪部７Ｂによって配線基板１と結合して、プッシュスイッチ２〜５およびつまみ６を覆うことによって多方向操作型スイッチ８が構成されている。
【０００６】
以上の構成において、図２１の中立位置から図２３に示すように、つまみ６の上面左端を下方へ押圧すると、プリント基板１の孔１Ａに支持された支点軸６Ｅ先端を支点としてつまみ６が左方向へ傾倒し、下面の押圧部６Ｃがプッシュスイッチ４の動作部４Ａを押圧して、プッシュスイッチ４の電気的接続が行われ、つまみ６への押圧力を解除すると、プッシュスイッチ４の自己復帰力によって、つまみ６が押し戻されて図２１の中立位置に復帰する。
【０００７】
これとは逆に、図２１の中立位置からつまみ６の上面右端を押圧した場合には、つまみ６は右方向へ傾倒し、下面の押圧部６Ａがプッシュスイッチ２の動作部２Ａを押圧してプッシュスイッチ２の電気的接続が行われ、つまみ６の押圧力を解除すると、プッシュスイッチ２の自己復帰力によって、つまみ６が図２１の中立位置に復帰する。
【０００８】
同様に、図２１の中立位置からつまみ６を、上記の左右方向と直交する前後方向に押圧した場合には、つまみ６は前方向または後方向へ傾倒し、下面の押圧部６Ｄまたは６Ｂが動作部５Ａまたは３Ａを押圧してプッシュスイッチ５または３の電気的接続が行われ、つまみ６の押圧力を解除すると、プッシュスイッチ５または３の自己復帰力によって、つまみ６が図２１の中立位置に復帰するように構成されている。
【０００９】
また、図２４は以上のような従来の多方向操作型スイッチ８を用いた通信用携帯端末機器の斜視図であり、同図において、外装ケース１０の操作面の上方にはＬＣＤ等の表示部１１が、下方にはプッシュ操作部１２が配置されると共に、中央部には多方向操作型スイッチ８とプッシュキー１３が配置されている。
【００１０】
以上の構成において、多方向操作型スイッチ８の上面端部を前後左右に押圧操作することによって、表示部１１に表示された氏名や電話番号或いは各種の機能モード等の表示内容や、これらとは別に表示されたカーソルを前後左右に移動してスクロール検索した後、プッシュキー１３を押圧操作することによって表示内容から必要なものを選択決定し、通話や各種機能モードの実行を行うものであった。
【００１１】
【発明が解決しようとする課題】
しかしながら、各種電子機器の多様化に伴って前後左右方向の操作形態および操作感触に変化を持たせた多様な操作型電子部品が求められる中で、上記従来の多方向操作型電子部品においては、同一の操作形態のプッシュスイッチ２〜５を用いて構成されているため、前後左右方向の操作形態や操作感触が同一となり、操作の多様性に乏しいものとなっていると共に、例えばつまみ６をプッシュスイッチ２と３の間の方向へ押圧した場合には、プッシュスイッチ２と３が同時に動作するといった誤操作等を起こしやすいという課題があった。
【００１２】
本発明はこのような従来の課題を解決するものであり、前後左右方向の操作形態が異なり操作の多様性を有すると共に、誤操作等の起こりづらい多方向操作型電子部品およびこれを用いた電子機器を提供することを目的とする。
【００１３】
【課題を解決するための手段】
上記課題を解決するために本発明の多方向操作型電子部品は、動作体を前後方向に操作することによって電気信号を発生する往復動作型部品の左右の少なくとも一方に、上方から動作部を押圧することによって電気信号を発生する押圧動作型部品を並べて配置すると共に、上面が操作部となり下面の左右に押圧動作型部品に対応する押圧部を有するつまみを往復動作型部品の動作体に装着し、かつつまみを前後方向に操作して往復動作型部品の動作体を一体的に動作させ、左端または右端を押圧することによって動作体との装着部を支点としてつまみを揺動させて押圧動作型部品を動作させるものである。
【００１４】
これにより、前後方向と左右方向の操作形態が異なり、操作の多様性を有すると共に誤操作の起こりづらい多方向操作型電子部品およびこれを用いた電子機器を得ることができる。
【００１５】
【発明の実施の形態】
本発明の請求項１に記載の発明は、上方に突出した動作体を前後に往復動作させることによって電気信号を発生する往復動作型部品と、この往復動作型部品の左右の少なくとも一方に並べて配置され上方から動作部を押圧することによって電気信号を発生する押圧動作型部品と、上面が操作部となり下面の左右に押圧動作型部品に対応する押圧部を有すると共に、下面の中央の装着部が往復動作型部品の動作体に装着され、動作体の往復動作方向に一体的に動作すると共に動作体との装着部を支点として揺動し左右端が上下動するつまみからなる多方向操作型電子部品としたものであり、つまみの前後方向の操作によって往復動作型部品の動作体を操作すると共に、この往復動作型部品の動作体との装着部を支点としてつまみを揺動操作することによって押圧動作型部品を押圧する構成となっているため、往復動作型部品を例えばスライドスイッチやレバースイッチ等とし、押圧動作型部品をこれとは操作形態の異なったプッシュスイッチ等で構成することによって、前後方向と左右方向の操作形態が異なり操作の多様性を有する多方向操作型電子部品を得ることができるという作用を有する。
【００１６】
請求項２に記載の発明は、請求項１記載の発明において、往復動作型部品を、動作体が往復動作方向の中立位置に自動復帰する中立位置復帰型のものとしたものであり、前後方向の往復操作時に手を離すだけでつまみが中立位置に復帰するため、往復動作型部品の操作が容易であると共に、往復動作型部品の動作体との装着部を支点としてつまみを揺動操作する際に、つまみが前後方向に動き難いため、押圧動作型部品も確実に押圧操作が行えるという作用を有する。
【００１７】
請求項３に記載の発明は、請求項１または２記載の発明において、つまみの装着部または往復動作型部品の動作体のいずれか一方に設けた凸部と、他方に設けた凹部を圧入嵌合させて、この嵌合部を支点として左右方向に揺動可能につまみを動作体へ装着したものであり、凸部と凹部を圧入嵌合させることによって、つまみを動作体にワンタッチで装着して組み立てを行うことができ、この嵌合部を支点としてつまみを揺動させることができるため、組み立てが容易で安価な多方向操作型電子部品を実現できるという作用を有する。
【００１８】
請求項４に記載の発明は、請求項１または２記載の発明において、つまみの装着部または往復動作型部品の動作体のいずれか一方に一体または別体で、前後方向には剛性を有し左右方向には弾性を有する結合部を設けると共に、この結合部を介してつまみを動作体へ装着したものであり、結合部の弾性によって常につまみを揺動方向の中立位置に付勢できるため、つまみの中立位置での左右方向への傾きのない電子部品が得られるという作用を有する。
【００１９】
請求項５に記載の発明は、請求項１〜４のいずれか一つに記載の発明において、つまみまたは動作体に一体または別体で、つまみの左右を上方へ付勢する弾性体を附加したものであり、つまみの左右を弾性体で常に上方へ付勢しているため、つまみと動作体の間のがたつきやつまみの左右方向への傾きを防止することができるという作用を有する。
【００２０】
請求項６に記載の発明は、請求項１〜５のいずれか一つに記載の発明において、つまみの装着部と往復動作型部品の動作体の間の上下方向の隙間を、つまみの押圧部と押圧動作型部品の動作部との隙間よりも小さく設定したものであり、つまみの左右端を押圧操作する際に、誤ってつまみの操作部の中央を押圧した場合でも、左右の押圧部と動作部との隙間に比べてつまみ下面の中央の装着部と動作体の隙間が小さいため、装着部と動作体が当接することによって、つまみ全体が下方に移動して押圧部が左右の押圧動作型部品を同時に押圧動作してしまう誤動作を防止できるという作用を有する。
【００２１】
請求項７に記載の発明は、請求項１〜６のいずれか一つに記載の発明において、絶縁シートで往復動作型部品と押圧動作型部品を覆ったものであり、つまみの下に配置された構成部品を絶縁シートで覆うことによって、防塵および防水性に優れた電子部品が得られるという作用を有する。
【００２２】
請求項８に記載の発明は、請求項７記載の発明において、絶縁シートにつまみを上方へ付勢する弾性部を設けたものであり、この弾性部によって構成部品を増加することなくつまみと動作体の間のがたつきや、つまみの前後左右方向への傾きを防止することができるという作用を有する。
【００２３】
請求項９に記載の発明は、請求項７または８記載の発明において、つまみと絶縁シートを一体に形成したものであり、構成部品を減らし組み立て易く安価な電子部品にできるという作用を有する。
【００２４】
請求項１０に記載の発明は、請求項１〜９のいずれか一つに記載の多方向操作型電子部品を、つまみの操作部を前後左右に操作可能に外装ケースから突出させて装着した電子機器としたものであり、前後左右の操作形態が異なる多方向操作型電子部品を用いて入力操作が行えるため、多様な操作形態を有し複雑な入力操作を簡単に行える電子機器が得られるという作用を有する。
【００２５】
請求項１１に記載の発明は、請求項７〜９のいずれか一つに記載の多方向操作型電子部品を、つまみの操作部を前後左右に操作可能に外装ケースから突出させると共に、多方向操作型電子部品の周囲を囲む外装ケース裏面のリブと、多方向操作型電子部品を配置した配線基板の間に、絶縁シートの外周を挟み込むように装着した電子機器としたものであり、外装ケースのつまみ突出部から電子機器内部へ侵入する塵埃や水滴を遮断して、往復動作型部品や押圧動作型部品の防塵および防水性を確実なものにできるという作用を有する。
【００２６】
以下、本発明の実施の形態について、スイッチを例にして図１〜図２０を用いて説明する。
【００２７】
（実施の形態１）
図１は本発明の第１の実施の形態による多方向操作型スイッチの断面図、図２は同分解斜視図、図３は図１と直交方向の断面図であり、同図において、２０は上方に突出した動作体２０Ａを前後方向に回動させることによって電気的接離が行われるレバースイッチ、２１，２２はレバースイッチ２０の左右に並べて配置され、上面の動作部２１Ａ，２２Ａを押圧することによって電気的接離が行われるプッシュスイッチ、２３は上面が操作部２３Ａとなり、下面の左右にプッシュスイッチ２１，２２に対応した押圧部２３Ｂ，２３Ｃを有するつまみで、つまみ２３は、下面中央の前後方向に対向して設けたアーム状の装着部２３Ｄの円形の孔２３Ｅに、動作体２０Ａ先端の前後方向の側面に対向して設けられた球状の凸部２０Ｂが圧入嵌合されて、動作体２０Ａの回動方向と直交する左右方向に揺動可能に装着されている。
【００２８】
そして、図１及び図３に示す中立位置において、つまみ２３の押圧部２３Ｂ，２３Ｃとプッシュスイッチ２１，２２の動作部２１Ａ，２２Ａ先端との間には所定の隙間が設定されると共に、つまみ２３下面の対向した装着部２３Ｄの間には突出部２３Ｆが設けられ、この突出部２３Ｆと動作体２０Ａ先端との上下方向の隙間は、上記のつまみ２３の押圧部２３Ｂ，２３Ｃとプッシュスイッチ２１，２２の動作部２１Ａ，２２Ａとの間の隙間よりも小さなものとなっている。
【００２９】
以上の構成において、図３に示す中立位置から図４（ａ）及び図４（ｂ）に示すように、つまみ２３の操作部２３Ａを前後方向に回動操作すると、つまみ２３の装着部２３Ｄと嵌合した動作体２０Ａがつまみ２３と同じ前後方向に回動することによって、レバースイッチ２０の電気的接離が行われ、つまみ２３の操作部２３Ａへの力を解除すると、レバースイッチ２０の動作体２０Ａの自己復帰力によってつまみ２３が図３に示す中立位置に復帰する。
【００３０】
また、これとは直交方向の図１の中立位置から図５に示すように、つまみ２３の操作部２３Ａの左端を上方から押圧すると、つまみ２３が孔２３Ｅに嵌合した動作体２０Ａの凸部２０Ｂを支点として左方向へ揺動し、左下面の押圧部２３Ｂがプッシュスイッチ２１の動作部２１Ａを押圧して、プッシュスイッチ２１の電気的接離が行われ、つまみ２３の操作部２３Ａへの押圧力を解除すると、プッシュスイッチ２１の自己復帰力によって、押圧部２３Ｂがプッシュスイッチ２１の動作部２１Ａに押し上げられて、つまみ２３が図１の中立位置に復帰する。
【００３１】
同様に、操作部２３Ａの右端を上方から押圧すると、つまみ２３が凸部２０Ｂを支点として右方向へ揺動し、右下面の押圧部２３Ｃによってプッシュスイッチ２２の動作部２２Ａが押圧されて、プッシュスイッチ２２の電気的接離が行われるように構成されている。
【００３２】
このように本実施の形態によれば、レバースイッチ２０の左右にプッシュスイッチ２１，２２を配置すると共に、レバースイッチ２０の動作体２０Ａの凸部２０Ｂを支点として揺動可能につまみ２３を動作体２０Ａへ装着することによって、前後方向への操作においてはレバースイッチ２０の回動動作、左右端の押圧操作においてはプッシュスイッチ２１，２２の押圧動作と、前後左右の異なった操作形態を有する多方向操作型スイッチを得ることができるものである。
【００３３】
また、つまみ２３のアーム状の装着部２３Ｄの可撓性を利用して、つまみ２３をレバースイッチ２０の動作体２０Ａへ上方からワンタッチで装着することができるため、スイッチの組み立てが容易となり安価なものとすることができる。
【００３４】
さらに、つまみ２３の装着部２３Ｄ中央に設けられた突出部２３Ｆと動作体２０Ａ先端との隙間が、つまみ２３下面左右の押圧部２３Ｂ，２３Ｃとプッシュスイッチ２１，２２の動作部２１Ａ，２２Ａとの間の隙間よりも小さくなっているため、図６（ａ）に示すように、つまみ２３の孔２３Ｅと動作体２０Ａの凸部２０Ｂの隙間が大きな場合に、つまみ２３を左右方向に揺動操作する際に誤ってつまみ２３の操作部２３Ａの中央を押圧しても、突出部２３Ｆと動作体２０Ａが当接することによって、つまみ２３全体が下方に移動して、押圧部２３Ｂ，２３Ｃが左右のプッシュスイッチ２１，２２を同時に押圧動作してしまう誤動作を防止することができる。
【００３５】
なお、図６（ｂ）に示すように、つまみ２３下面中央の突出部２３Ｇを左右に所定の長さを有するものとし、これをつまみ２３の操作部２３Ａの中央を押圧した場合に動作体２０Ａの上面と当接する形状とすれば、誤って操作部２３Ａの中央を押圧した場合の、つまみ２３の左右方向へのぐらつきをさらに軽減することができ、より確実に左右のプッシュスイッチ２１，２２の誤動作を防止することができる。
【００３６】
また、以上の説明では、レバースイッチ２０の動作体２０Ａの前後方向の側面に球状の凸部２０Ｂを設けると共に、つまみ２３の装着部２３Ｄの凹部を円形の孔２３Ｅとし、この凸部２０Ｂを孔２３Ｅに圧入嵌合してつまみ２３を動作体２０Ａに装着する構成として説明したが、図７に示すように、動作体２０Ａの前後方向の側面に円形の貫通孔２０Ｃを設け、これにつまみ２３の装着部２３Ｄに設けた円柱状の凸部２３Ｈを圧入嵌合したり、図８に示すように、動作体２０Ａの上端に設けたスリット２０Ｄに、装着部２３Ｄに設けた円柱部２３Ｊを圧入嵌合させる構成等、様々なレバースイッチ２０の動作体２０Ａとつまみ２３の装着構造の実施の形態が可能であることは勿論である。
【００３７】
なお、図９（ａ）に示すように、動作体２０Ａの左右方向の側面に爪部２０Ｅを設け、これをつまみ２３の装着部２３Ｄに設けた角孔２３Ｋに圧入嵌合する構成とした場合には、図９（ｂ）に示すように、つまみ２３の左右端を上方から押圧して揺動させるための、爪部２０Ｅと角孔２３Ｋとの間のある程度の隙間が必要となるため、図９（ｂ）の中立位置から図９（ｃ）に示すように、つまみ２３の操作部２３Ａの左端を上方から押圧して、つまみ２３を揺動させる際の支点が上記の説明とは異なり、角孔２３Ｋに圧入嵌合した爪部２０Ｅではなく、下面中央に設けた突出部２３Ｆが当接する動作体２０Ａ先端の溝を支点としてつまみ２３が揺動する。
【００３８】
（実施の形態２）
図１０は本発明の第２の実施の形態による多方向操作型スイッチの断面図、図１１は図１０と直交方向の断面図であり、同図において、動作体２０Ａが前後方向に回動するレバースイッチ２０の左右に、プッシュスイッチ２１，２２が並べて配置されていることや、上面が操作部２３Ａとなったつまみ２３の下面の左右に、プッシュスイッチ２１，２２の動作部２１Ａ，２２Ａを押圧する押圧部２３Ｂ，２３Ｃが設けられていることは実施の形態１の場合と同様であるが、つまみ２３下面の中央に設けられた装着孔２３Ｌと動作体２０Ａの先端に設けた溝２０Ｆ底部の前後方向のスリットの間には、前後方向に剛性を有し左右方向には可撓性を有する弾性絶縁板等からなる結合部材２４の上下端が圧入保持され、これを介して揺動可能につまみ２３がレバースイッチ２０の動作体２０Ａに装着されている。
【００３９】
以上の構成において、つまみ２３を前後方向に回動操作或いは左右方向に揺動操作すると、レバースイッチ２０やプッシュスイッチ２１，２２の電気的動作が行われることは実施の形態１の場合と同様であるが、左右方向の操作力を除去し、つまみ２３を図１０の中立位置に復帰させる際には、プッシュスイッチ２１，２２の自己復帰力に加え、結合部材２４の左右方向への弾性復帰力によって、つまみ２３が常に中立位置に付勢されるように構成されている。
【００４０】
このように本実施の形態によれば、左右に可撓性を有した結合部材２４の弾性復帰力により、つまみ２３を中立位置に常に付勢しているため、つまみ２３を左右方向に揺動した後の中立位置への復帰が確実になると共に、つまみ２３の中立位置での左右方向への傾きがない多方向操作型スイッチを得ることができるものである。
【００４１】
なお、以上の説明では、結合部材２４を別体の弾性絶縁板等で形成し、これを介してつまみ２３をレバースイッチ２０の動作体２０Ａへ装着する構成としたが、つまみ２３または動作体２０Ａのいずれか一方の材質を可撓性を有するものとし、これらに結合部材２４を一体に形成することによって、構成部品が少なく組み立ても容易な多方向操作型スイッチを得ることができる。
【００４２】
（実施の形態３）
図１２は本発明の第３の実施の形態による多方向操作型スイッチの断面図、図１３は図１２と直交方向の断面図であり、同図において、動作体２０Ａが前後方向に回動するレバースイッチ２０の左右に、プッシュスイッチ２１，２２が並べて配置されていることや、上面が操作部２３Ａとなり下面の左右にプッシュスイッチ２１，２２の動作部２１Ａ，２２Ａを押圧する押圧部２３Ｂ，２３Ｃを設けたつまみ２３が、下面中央の装着部２３Ｄ先端に設けた孔２３Ｅに動作体２０Ａ先端の凸部２０Ｂが圧入嵌合することによって、動作体２０Ａに左右方向に揺動可能に装着されていることは実施の形態１の場合と同様であるが、つまみ２３の下面と動作体２０Ａ上面の間には、金属薄板製の弾性体２５がつまみ２３の左右を上方に付勢するようにやや撓んだ状態で装着されている。
【００４３】
以上の構成において、つまみ２３を前後方向に操作することによって、レバースイッチ２０やプッシュスイッチ２１，２２の電気的動作が行われることは実施の形態１の場合と同様であるが、つまみ２３は弾性体２５によって中立位置及び左右方向へ揺動操作した状態でも常に上方へ付勢されるように構成されている。
【００４４】
このように本実施の形態によれば、弾性体２５によってつまみ２３の左右が常に上方へ付勢されているため、つまみ２３とレバースイッチ２０の動作体２０Ａとの間のがたつきや、つまみ２３の前後左右への傾きがない多方向操作型スイッチを得ることができるものである。
【００４５】
また、図１４に示すように、レバースイッチ２０の動作体２０Ａの材質を弾性を有するものとし、この動作体２０Ａと一体に、つまみ２３の下面の左右に先端が弾接する弾性片２０Ｇを形成することで、構成部品を少なくし組み立て易いものとすることができる。
【００４６】
さらに、図１５に示すように、弾性部２３Ｍをつまみ２３の左右の両端側面に設け、この弾性部２３Ｍ下面の凸部２３Ｎを、レバースイッチ２０やプッシュスイッチ２１，２２を実装している配線基板などの上面に弾接する構成とすることによって、つまみ２３の左右の両端で常につまみ２３を上方へ付勢できるため、つまみ２３の中立位置への復帰や傾きの防止をより確実なものとすることができる。
【００４７】
（実施の形態４）
図１６は本発明の第４の実施の形態による多方向操作型スイッチを用いた電子機器の断面図、図１７は図１６と直交方向の断面図であり、同図において、３０は上下面に電子部品（図示せず）を実装した配線基板で、この配線基板３０の上にレバースイッチ２０及びその左右に並べてプッシュスイッチ２１，２２が配置され、レバースイッチ２０の動作体２０Ａには実施の形態１の場合と同様に、つまみ２３が左右方向に揺動可能に装着されて多方向操作型スイッチ３０が構成されると共に、これらを覆う電子機器の外装ケース３２の孔３２Ａからつまみ２３の操作部２３Ａが前後左右に操作可能に突出している。
【００４８】
また、２６は、弾性フィルム製の絶縁シートで、この絶縁シート２６がつまみ２３の下面に挿入されて、レバースイッチ２０及びプッシュスイッチ２１，２２を覆っている。
【００４９】
以上の構成において、外装ケース３２の孔３２Ａから突出した多方向操作型スイッチ３１のつまみ２３の操作部２３Ａを、前後方向に操作するとつまみ２３が回動してレバースイッチ２０の電気的接離が行われ、操作部２３Ａの左端または右端を上方から押圧操作するとつまみ２３が揺動してプッシュスイッチ２１，２２の電気的接離が行われると共に、つまみ２３への操作力を除去するとこれらのスイッチの復帰力でつまみ２３が図１６および図１７の中立位置に復帰するように構成されている。
【００５０】
このように本実施の形態によれば、前後方向への操作においては回動操作、左右方向への操作においては押圧操作と、前後左右の操作形態が異なる多方向操作型スイッチ３１を用いているため、多様な操作形態を有した電子機器を得ることができるものである。
【００５１】
また、絶縁シート２６でレバースイッチ２０及びプッシュスイッチ２１，２２を覆って多方向操作型スイッチ３１が構成されているため、外装ケース３２の孔３２Ａとつまみ２３の隙間から塵埃や水滴が電子機器内部に侵入しても、絶縁シート２６によってレバースイッチ２０やプッシュスイッチ２１，２２或いは配線基板３０との接続部に、これらが付着することを防ぐことができるため、操作部の防塵性及び防滴性に優れたものを得ることができると共に、絶縁シート２６は弾性を有するフィルムで形成されているため、つまみ２３の操作感触を妨げることもない。
【００５２】
そして、図１８に示すように、絶縁シート２６にドーム状の弾性部２６Ａを形成し、この弾性部２６Ａでつまみ２３下面を上方に付勢するように構成することによって、多方向操作型スイッチ３１の構成部品を増加することなく、つまみ２３のがたつきや前後左右への傾きがない電子機器を得ることができる。
【００５３】
さらに、図１９に示すように、つまみ２３をエラストマー樹脂やシリコンラバーなどの弾性を有する絶縁材料で形成し、この下面の前後左右に薄い絶縁シート２６Ｂ，２６Ｃを一体に形成して、この絶縁シート２６Ｂ，２６Ｃでレバースイッチ２０及びプッシュスイッチ２１，２２を覆うことによって、多方向操作型スイッチ３１の構成部品を少なくし、組み立て易い安価なものにすることができる。
【００５４】
また、図２０に示すように、絶縁シート２６の側方に蛇腹部２６Ｄを設けると共に、この絶縁シート２６の外周を、多方向操作型スイッチ３０の周囲を囲む外装ケース３２の裏面のリブ３２Ｂ先端と配線基板３０との間で挟み込んだ構成とすることによって、つまみ２３の操作感触を妨げることなく、外装ケース３２の孔３２Ａから侵入する塵埃や水滴などを遮断できるため、電子機器の防塵性や防水性をより確実なものとすることができる。
【００５５】
なお、以上の説明では、前後方向に動作する往復動作型部品として中立位置に自動復帰する中立位置復帰型のレバースイッチ、押圧動作型部品としてプッシュスイッチを用いて説明したが、往復動作型部品としては、スライドスイッチやシーソースイッチなどの操作形態の異なるスイッチ、または可変抵抗器やパルス信号を出力するエンコーダを用いたり、押圧動作型部品としては、弾性ゴム製のラバーコンタクトや金属薄板製のドーム状稼働接点などを配線基板３０に形成された固定接点上に配置した構成としても、本発明の実施が可能なことは勿論である。
【００５６】
また、押圧動作型部品としてのプッシュスイッチを往復動作型部品の左右に二つ並べて配置する場合について述べたが、これは左または右の一方にだけ配置してもよく、また、左と右に異なる操作感触の押圧動作型部品を配置して、さらに多様な操作形態のものとしてもよいことは勿論である。
【００５７】
【発明の効果】
以上のように本発明によれば、前後左右方向で異なる操作形態や操作感触をもたせることのできる多方向操作型電子部品およびこれを用いた電子機器を得ることができるという有利な効果が得られる。
【図面の簡単な説明】
【図１】本発明の第１の実施の形態による多方向操作型スイッチの断面図
【図２】同分解斜視図
【図３】同直交方向の断面図
【図４】同断面図
【図５】同断面図
【図６】同断面図
【図７】同動作体と装着部の斜視図
【図８】同動作体と装着部の斜視図
【図９】同動作体と装着部の斜視図及び断面図
【図１０】本発明の第２の実施の形態による多方向操作型スイッチの断面図
【図１１】同直交方向の断面図
【図１２】本発明の第３の実施の形態による多方向操作型スイッチの断面図
【図１３】同直交方向の断面図
【図１４】同断面図
【図１５】同つまみの斜視図
【図１６】本発明の第４の実施の形態による多方向操作型スイッチを用いた電子機器の断面図
【図１７】同直交方向の断面図
【図１８】同他の実施の形態による断面図
【図１９】同つまみの斜視図
【図２０】同断面図
【図２１】従来の多方向操作型スイッチの断面図
【図２２】同分解斜視図
【図２３】同断面図
【図２４】同通信用携帯端末機器の斜視図
【符号の説明】
２０  レバースイッチ
２０Ａ  動作体
２０Ｂ  凸部
２０Ｃ  貫通孔
２０Ｄ  スリット
２０Ｅ  爪部
２０Ｆ  溝
２０Ｇ  弾性片
２１，２２  プッシュスイッチ
２１Ａ，２２Ａ  動作部
２３  つまみ
２３Ａ  操作部
２３Ｂ，２３Ｃ  押圧部
２３Ｄ  装着部
２３Ｅ  孔
２３Ｆ，２３Ｇ  突出部
２３Ｈ  凸部
２３Ｊ  円柱部
２３Ｋ  角孔
２３Ｌ  装着孔
２３Ｍ  弾性部
２３Ｎ  凸部
２４  結合部材
２５  弾性体
２６，２６Ｂ，２６Ｃ  絶縁シート
２６Ａ  弾性部
２６Ｄ  蛇腹部
３０  配線基板
３１  多方向操作型スイッチ
３２  外装ケース
３２Ａ  孔
３２Ｂ  リブ
【図１】
0003867390.tif 000002
【図２】
0003867390.tif 000003
【図３】
0003867390.tif 000004
【図４】
0003867390.tif 000005
【図５】
0003867390.tif 000006
【図６】
0003867390.tif 000007
【図７】
0003867390.tif 000008
【図８】
0003867390.tif 000009
【図９】
0003867390.tif 000010
【図１０】
0003867390.tif 000011
【図１１】
0003867390.tif 000012
【図１２】
0003867390.tif 000013
【図１３】
0003867390.tif 000014
【図１４】
0003867390.tif 000015
【図１５】
0003867390.tif 000016
【図１６】
0003867390.tif 000017
【図１７】
0003867390.tif 000018
【図１８】
0003867390.tif 000019
【図１９】
0003867390.tif 000020
【図２０】
0003867390.tif 000021
【図２１】
0003867390.tif 000022
【図２２】
0003867390.tif 000023
【図２３】
0003867390.tif 000024
【図２４】
0003867390.tif 000025